(57)【要約】【課題】複数の画像ファイルに基づく印刷であっても容易に印刷装置に対象の画像ファイルを認識させる。【解決手段】印刷制御部２００は、印刷する回数を示す回数情報が関連付けられた、印刷する画像を示す画像ファイルが複数格納されている格納場所を指定する格納場所指定情報を受け付ける受付部２０１と、格納場所の中にある画像ファイルを、回数情報が示す回数印刷するように印刷装置１を制御する印刷装置制御部２０２とを備える。【選択図】図１
2014050964.tif 000002
【特許請求の範囲】
【請求項１】
印刷する回数を示す回数情報が関連付けられた、印刷する画像を示す画像ファイルが複数格納されている格納場所を指定する格納場所指定情報を受け付ける受付手段と、
上記受付手段が受け付けた格納場所の中にある上記画像ファイルを、上記回数情報が示す回数印刷するように印刷装置を制御する印刷装置制御手段とを備えることを特徴とする印刷制御装置。
【請求項２】
上記画像ファイルには、印刷する順番を示す順番情報が関連付けられており、
上記印刷装置制御手段は、当該順番情報に従って印刷するように印刷装置を制御するものである請求項１に記載の印刷制御装置。
【請求項３】
請求項１又は２に記載の印刷制御装置と、
被記録媒体を載せた載置器具を複数搭載する被記録媒体搭載部と、
上記被記録媒体搭載部から、複数の上記載置器具のうち、一つの上記載置器具を取り出し、被記録媒体に対してインクを吐出するヘッドにおけるインクを吐出する面に対向する印刷領域まで搬送させる搬送手段と、
印刷された被記録媒体が載せられた載置器具を格納する印刷済被記録媒体格納器と、を備える印刷装置。
【請求項４】
請求項１又は２に記載の印刷制御装置を動作させるためのプログラムであって、コンピュータを上記の各手段として機能させるためのプログラム。
【請求項５】
請求項４に記載のプログラムを記録したコンピュータ読み取り可能な記録媒体。
【発明の詳細な説明】
【技術分野】
【０００１】
本発明は印刷制御装置に関する。
【背景技術】
【０００２】
特許文献１にはプリント対象物に複数の処理作業を順に行なうための印刷装置が記載されている。
【先行技術文献】
【特許文献】
【０００３】
【特許文献１】特開２００９−５６６５５号公報（２００９年３月１９日公開）
【発明の概要】
【発明が解決しようとする課題】
【０００４】
ところで、複数の画像ファイルに基づいて印刷する場合、画像ファイルを一つずつ指定して印刷を行なうことは手間である。
【０００５】
本発明はこのような事情に鑑みて成された発明であり、複数の画像ファイルに基づく印刷であっても容易に印刷装置に対象の画像ファイルを認識させることができる印刷制御装置を提供する。
【課題を解決するための手段】
【０００６】
本発明に係る印刷制御装置は、印刷する回数を示す回数情報が関連付けられた、印刷する画像を示す画像ファイルが複数格納されている格納場所を指定する格納場所指定情報を受け付ける受付手段と、上記受付手段が受け付けた格納場所の中にある上記画像ファイルを、上記回数情報が示す回数印刷するように印刷装置を制御する印刷装置制御手段とを備えることを特徴としている。
【０００７】
ユーザは格納場所を指定するだけで、印刷制御装置は当該格納場所内の画像ファイル及び印刷回数に基づいて印刷装置に印刷を行なわせることができる。よって、複数の画像ファイルに基づく印刷であっても容易に印刷装置に対象の画像ファイルを認識させることができる。
【０００８】
本発明に係る印刷制御装置では、上記画像ファイルには、印刷する順番を示す順番情報が関連付けられており、上記印刷装置制御手段は、当該順番情報に従って印刷するように印刷装置を制御するものであることがより好ましい。
【０００９】
印刷装置制御手段は、順番情報の示す順番に沿って、画像ファイル及び回数に基づき印刷することができる。これにより、印刷対象物が異なり、それぞれの印刷対象物に対して画像ファイルが定まっている場合であっても、順番通りに印刷対象物を印刷装置に供給すれば、当該順番に従って印刷される。よって、異なる印刷対象物に対する印刷を簡便に行なうことができる。
【００１０】
本発明に係る印刷装置は、本発明に係る印刷制御装置と、被記録媒体を載せた載置器具を複数搭載する被記録媒体搭載部と、上記被記録媒体搭載部から、複数の上記載置器具のうち、一つの上記載置器具を取り出し、被記録媒体に対してインクを吐出するヘッドにおけるインクを吐出する面に対向する印刷領域まで搬送させる搬送手段と、印刷された被記録媒体が載せられた載置器具を格納する印刷済被記録媒体格納器と、を備えることを特徴としている。
【００１１】
また、ユーザは載置器具を被記録媒体搭載部に搭載して、ファイルの格納場所を指定するだけで、載置器具毎に異なる種類の被記録媒体が載っていても、載置器具が印刷済被記録媒体格納器に格納されるまで、印刷装置の傍にいなくてもよい。つまり、ファイルに関連付けられた回数だけ繰り返し印刷が行なわれるので、都度、載置器具又は被記録媒体を印刷装置に手動で供給する必要がない。よって、長時間の無人運転が可能となる。
【００１２】
また、本発明に係る印刷制御装置を動作させるためのプログラムであって、コンピュータを上記の各手段として機能させるためのプログラム及び当該プログラムを記録したコンピュータ読み取り可能な記録媒体も本発明の範疇である。
【発明の効果】
【００１３】
本発明によれば、複数の画像ファイルに基づく印刷であっても容易に印刷装置に対象の画像ファイルを認識させることができるという効果を奏する。
【図面の簡単な説明】
【００１４】
【図１】本発明に係る印刷制御装置の一実施形態である印刷制御部を搭載した印刷装置の構成を模式的に示す図である。
【図２】本発明に係る印刷制御装置の一実施形態である印刷制御部が読み取る画像データの格納場所内のデータ構造を示す図である。
【図３】本発明に係る印刷制御装置の印刷装置制御手段の一実施形態である印刷装置制御部の処理フローを示す図である。
【発明を実施するための形態】
【００１５】
〔印刷装置の構成〕
以下、本発明の実施の形態について、図１を用いて詳細に説明する。図１は本発明に係る印刷制御装置の一実施形態である印刷制御部を搭載した印刷装置の構成を模式的に示す図である。
【００１６】
ここでは、本発明に係る格納制御装置の一実施形態である印刷制御部２００を搭載した印刷装置１の構成を説明する。
【００１７】
印刷装置１は図１に示すようにトレイ格納容器（被記録媒体搭載部）１０、搬送部（搬送手段）３０、ヘッド４０、テーブル５０、光学式センサ５１、度当たりピン５２、アクリル板６０、印刷済メディア格納容器（印刷済被記録媒体格納器）７０を備えている。
【００１８】
また、印刷装置１は印刷制御部（印刷制御装置）２００を備えている。また、印刷制御部２００は記憶媒体３００と接続されている。
【００１９】
トレイ格納容器１０は、印刷される前のメディア（被記録媒体）１００が複数載せられたトレイ（載置器具）２０を複数枚鉛直方向に並べて格納するためのものである。
【００２０】
トレイ格納容器１０へのトレイ２０の格納は手動で行なうが、印刷が必要なメディア１００を所望の数だけトレイ２０に載せ、所望の数のトレイ２０をトレイ格納容器１０に予め搭載しておくことができる。印刷装置１では、トレイ格納容器１０から順次トレイ２０を出して、ヘッド４０のインク吐出面に対向する領域である印刷領域Ｒ１に搬送して印刷を行なうので、ユーザがトレイ２０を印刷装置１に一枚ずつセットする必要がない。よって、長時間、ユーザが印刷装置１の傍にいなくても連続して複数のメディア１００を印刷することができる。
【００２１】
トレイ格納容器１０は、押し出し部（載置器具移動部）３１を備えている。押し出し部３１は搬送部３０の一構成部材である。押し出し部３１はトレイ２０を矢印Ｘ方向に押し出す。これにより、テーブル５０上にトレイ２０を移動させることができる。
【００２２】
トレイ格納容器１０は、トレイ格納容器１０から取り出し移動させる対象のトレイ２０が押し出し部３１によって押し出される位置になるように、押し出し部３１の位置を固定したまま、筐体等のその他の部材を鉛直方向に上下移動するものであってもよい。これにより、円滑に複数のトレイ２０を順次テーブル５０上に移動させることができる。なお、押し出し部３１によってトレイ２０を押し出す際に、テーブル５０は矢印Ｘ方向とは逆方向に移動してトレイ２０を受け取ることができる位置まで移動されて置くことが好ましい。
【００２３】
搬送部３０は、押し出し部３１及びベルトコンベア３２から構成されている。
【００２４】
押し出し部３１はトレイ格納容器１０の内から矢印Ｘ方向にトレイ２０を押し出すものである。
【００２５】
ベルトコンベア３２はテーブル５０を搬送するためのものである。これによりトレイ２０が受け渡し領域Ｒ２から印刷済メディア格納容器７０まで搬送される。なお、受け渡し領域Ｒ２において、トレイ２０がテーブル５０の上に載せられる。受け渡し領域Ｒ２は、押し出し部３１によって押し出されたトレイ２０がトレイ格納容器１０から出てきたときに置かれる領域であり、テーブル５０が受け渡し領域Ｒ２に位置するときにトレイ２０が押し出されることによって、テーブル５０の上にトレイ２０が置かれる。
【００２６】
ベルトコンベア３２は、歯付きベルトと、歯付きベルトの歯に咬合する歯車とから構成されている。このような構成によりテーブル５０をより高速に搬送することができる。印刷装置１では、トレイ格納容器１０から取り出されたトレイ２０を印刷済メディア格納容器７０まで、長距離にわたって搬送する必要があるが、このような装置に歯付きベルトを備えるベルトコンベア３２を用いることによって、より短時間で搬送することができる。よって、印刷の工程全体を短時間で終了させることができる。また、歯付きであることにより位置のずれが少なく、より高精度な印刷を行なうことができる。
【００２７】
ヘッド４０はメディア１００にインクを吐出するためのものである。ヘッド４０のインクを吐出する面に対向する領域、換言すれば、吐出したインクが着弾可能な領域が印刷領域Ｒ１である。ヘッド４０はトレイ２０上を走査するものであってもよく、トレイ２０がヘッド４０から吐出されたインクを受けるように適宜印刷領域Ｒ１を移動するものであってもよい。
【００２８】
テーブル５０はトレイ２０を載置するためのものである。テーブル５０はベルトコンベア３２上に配置されている。ベルトコンベア３２の駆動に従って、矢印Ｘ方向又はその逆方向に移動する。
【００２９】
光学式センサ５１はメディア１００の上面の位置を検出するためのものである。当該位置を検出することにより、テーブル５０を上下動させて印刷に適した位置にメディア１００を配置することができる。
【００３０】
度当たりピン５２は、押し出し部３１によるトレイ２０の搬送方向の先にあり、当該搬送方向への移動距離を規制するための位置決め部材である。押し出されたトレイ２０は、度当たりピン５２によって移動を停止することで矢印Ｘ方向、即ち搬送方向の位置を調節される。
【００３１】
アクリル板６０は、メディア１００の鉛直方向の位置を調整するためのものである。例えば、押し出されたトレイ２０が度当たりピン５２に当たるときの衝撃でメディア１００が鉛直方向上向きに浮く等してずれた場合に、アクリル板６０で上から押さえることによって、ずれを修正する。よって、より高精度に印刷することができる。なお、本発明に係る印刷装置における鉛直方向位置調整部は、アクリル板等の板状部材に限定されず、載置器具を鉛直方向に移動させることができるものであればよい。
【００３２】
アクリル板６０の上下動は手動で行なってもよいが、センサ等でずれを検知した上で自動的に上下動させてもよい。上下動させる機構としては、例えば、空気圧によりアクリル板６０を上下動させるシリンダが挙げられる。
【００３３】
また、鉛直方向の位置調整は、本発明における前処理の一態様である。本発明における前処理は位置調整に限定されるものではなく、例えば、メディアの清掃、静電気除去、プライマの塗布、表面を荒らす処理等が挙げられる。表面を荒らす処理としてはコロナ処理、例えば２５４ｎｍの低波長の紫外線を照射する処理等が挙げられる。
【００３４】
本実施形態における前処理は受け渡し領域Ｒ２で行なう。このように前処理を受け渡し領域Ｒ２で行なうと省スペースになるため好ましいが、前処理と受け渡しとを別々の領域で行なってもよい。
【００３５】
印刷済メディア格納容器７０は、印刷が終了したメディア１００が載っているトレイ２０を格納する容器である。搬送部３０によって搬送されたトレイ２０が順次印刷済メディア格納容器７０に格納されていく。
【００３６】
格納されるトレイ２０は図１に示すように鉛直方向に並べられる。そのため、ベルトコンベア３２から搬送されるトレイ２０を適切な段に格納できるように、印刷済メディア格納容器７０は鉛直方向に上下動してもよい。
【００３７】
印刷制御部２００は、印刷装置１が印刷する画像及び数（印刷の回数）を制御するものである。
【００３８】
印刷制御部２００は、受付部（受付手段）２０１、印刷装置制御部（印刷装置制御手段）２０２を備えている。
【００３９】
受付部２０１は、印刷する回数を示す回数情報が関連付けられた、印刷する画像を示す画像ファイルが複数格納されている格納場所を指定する格納場所指定情報を受け付けるものである。
【００４０】
本明細書において「画像」とは、印刷によって描く図形のことを意味し、絵のみでなく、文字も包含する。
【００４１】
受付部２０１が格納場所指定情報を受け付ける方法については特に限定されない。例えば、ユーザが、マウス、キーボード、タッチパネル等の入力手段によって格納場所指定情報を入力して、受付部２０１が当該格納場所指定情報を受け付けてもよい。このとき、例えば、ユーザは印刷する目的の画像ファイルが格納されているフォルダ（格納場所）を指定すればよい。また、例えば、ユーザが印刷装置１にＵＳＢメモリ等の外部記憶媒体を取り付けた際に、当該外部記憶媒体内の画像ファイルが格納されている場所を検知することによって、格納場所指定情報を認識してもよい。このような認識も格納場所指定情報の受付の一態様である。
【００４２】
印刷装置制御部２０２は、受付部２０１が受け付けた格納場所の中にある画像ファイルを、回数情報が示す回数印刷するように印刷装置を制御するものである。また、本実施形態では、画像ファイルに印刷する順番を示す順番情報が関連付けられているので、印刷装置制御部２０２は、当該順番情報に従って印刷するように印刷装置を制御するものでもある。
【００４３】
印刷対象物が複数種類あり、例えば、或る印刷対象物には或る画像ファイルで印刷して、別の印刷対象物には別の画像ファイルで印刷する場合においても、印刷装置に供給する印刷対象物の順番を定めておき、当該順番を示す順番情報を画像ファイルに関連付けておけば、ユーザは一度格納場所を指示するだけで、全ての印刷対象物に印刷を行なうことができる。よって、例えば、ペンケース、携帯電話のカバー等の異なる印刷対象物に対する印刷を簡便に行なうことができる。
【００４４】
本実施形態において、画像ファイルの格納場所は記憶媒体３００に記憶されている。印刷装置制御部２０２は、受付部２０１が受け付けた格納場所指定情報に基づいて、記憶媒体３００内の格納場所を参照する。
【００４５】
ここで、画像ファイルの格納場所内のデータ構造を図２を用いて説明する。図２は、印刷制御部２０２が読み取る画像データの格納場所内のデータ構造を示す図である。
【００４６】
図２に示すように格納場所内には複数の画像データが格納されている。図２に示す場合において３個の画像ファイルが一つのフォルダ（格納場所）の中に格納されている。それぞれの画像ファイルには印刷回数を示す回数情報及び印刷順を示す順番情報が関連付けられている。印刷装置制御部２０２は、当該フォルダ内の画像ファイルを読み取ることにより、各画像ファイルの印刷順及び印刷回数を認識することができる。この印刷順、印刷回数に従って画像ファイルに基づく画像を印刷するように印刷装置１のトレイ格納容器１０及びヘッド４０を制御する。
【００４７】
記憶媒体３００は画像ファイルを格納するためのものである。本実施形態では記憶媒体３００は印刷装置１に内装されているものとして説明をするが、外付けのものであってもよい。また、記憶媒体３００はハードディスク等の磁気ディスクやＣＤ−ＲＯＭ／ＭＯ／ＭＤ／ＤＶＤ／ＣＤ−Ｒ等の光ディスクを含むディスク類等で構成されていてもよい。
【００４８】
なお、本発明に係る印刷装置は、搬送方向における印刷領域の後、換言すれば搬送手段によって搬送する印刷領域から後の領域に被記録媒体に対して後処理を施す後処理手段を備えてもよい。後処理手段としては、オーバーコートするドーミング装置、スプレーガンが挙げられる。これにより、ドーミング工程、スプレーガン工程等を行なうことができる。
【００４９】
また、本発明に係る印刷装置は、差し込み作業の機能が付加されていてもよい。差し込み作業とは、載置器具を順次搬送して作業を行なう途中で、別の載置器具に対して、印刷、前処理、後処理等を行ないたい場合に当該別の載置器具を印刷装置に供することである。例えば、受け渡し領域で当該別の載置器具を載せて前処理して回収したり、そのまま印刷を行なったり、搬送方向における印刷領域の後の領域で当該別の載置器具を載せて後処理したり、差し込ませて印刷した当該別の載置器具を回収したりしてもよい。
【００５０】
〔印刷装置の動作〕
次に印刷装置１の動作について説明する。
【００５１】
まず、メディア１００をトレイ２０に載せる。１枚のトレイ２０に載せるメディア１００の数及びトレイ２０の数は目的の印刷量に応じて適宜設定すればよい。
【００５２】
次に、トレイ２０をトレイ格納容器１０に格納する。本実施形態では、図１に示すようにトレイ格納容器１０内に鉛直方向に並ぶようにトレイ２０を並べる。
【００５３】
次に、印刷装置１を稼動させる。ここで印刷制御部２００の処理について説明する。
【００５４】
まず、ユーザは、印刷を目的とする画像ファイルの格納場所を入力する。受付部２０１は当該格納場所を指定する格納場所指定情報を受け付ける。
【００５５】
次に、受付部２０１は受け付けた格納場所指定情報を印刷装置制御部２０２に送信する。本実施形態においてユーザが指定した格納場所は図２に示す格納場所であるものとして説明する。
【００５６】
ここで、印刷装置制御部２０２の行なう処理フローについて図３を用いて説明する。図３は、印刷装置制御部２０２の処理フローを示す図である。
【００５７】
印刷装置制御部２０２が処理を開始すると（ステップＳ１）、まず、格納場所指定情報を受付部２０１から受信する（ステップＳ２）。
【００５８】
次に、受信した格納場所指定情報が示す格納場所を参照する（ステップＳ３）。具体的には格納場所は記憶媒体３００内にあるので、記憶媒体３００内の格納場所を参照する。
【００５９】
次に、印刷装置制御部２０２は当該格納場所内の画像ファイルに関連付けられた順番情報を参照する（ステップＳ４）。
【００６０】
次に、印刷装置制御部２０２は、順番情報の示す順番で、画像ファイルに関連付けられた印刷回数分当該画像ファイルを印刷するように制御する（ステップＳ５）。具体的には、本実施形態においては、印刷装置制御部２０２はトレイ格納容器１０及びヘッド４０を操作して、画像ファイル１に基づく画像を２回（２個）印刷する。
【００６１】
画像ファイル１の印刷が終わると、次は、画像ファイル２の画像を４回印刷するようにヘッド４０等を制御する。最後に画像ファイル３の画像を８回印刷するようにヘッド４０等を制御する。
【００６２】
格納場所内の画像ファイルの全てを、関連付けられた回数だけ印刷すると処理を終了する（ステップＳ６）。
【００６３】
印刷順に沿って、一つの画像ファイルの印刷が終わる毎に次の画像ファイルを参照してもよく、全ての画像ファイル及び印刷回数を参照して、一時的に記憶するいわゆるワーキングメモリとしてのＲＡＭ（Random Access Memory）に全て記憶させておいた上で、全ての印刷を行なってもよい。
【００６４】
なお、以下に、印刷する画像ファイル及び回数が定まった後の、印刷装置１の印刷制御部２００以外の部材の動作を説明する。
【００６５】
まず、印刷装置１は、ベルトコンベア３２を駆動させて、テーブル５０を受け渡し領域Ｒ２に配置する。
【００６６】
次に、押し出し部３１によってトレイ２０を矢印Ｘ方向に押し出す。これにより、テーブル５０の上にトレイ２０が載る。このとき、押し出し部３１による押し出しの力によって、トレイ２０が度当たりピン５２に当たるまで勢いよく移動する。そして、度当たりピン５２に当たることによって、搬送方向への移動距離が規制されて、当該搬送方向における位置が調整される。
【００６７】
次に、トレイ２０が度当たりピン５２に衝突することによって、トレイ２０の上のメディア１００が浮く等して鉛直方向にずれた場合には、アクリル板６０によって押さえつけて位置を調整する。
【００６８】
次に、テーブル５０は印刷領域Ｒ１に搬送される。印刷領域Ｒ１では、光学式センサ５１によってメディア１００上面の位置が検出される。検出した位置が印刷に適していない位置である場合にはテーブル５０を上下動させて位置合わせが行なわれる。
【００６９】
次に、ヘッド４０からインクが吐出されて、メディア１００の印刷が行なわれる。
【００７０】
印刷が終了するとテーブル５０はさらに矢印Ｘ方向に搬送される。搬送方向において、ヘッド４０の後であって、印刷済メディア格納容器７０の前の領域では、必要に応じて、ドーミング工程及びスプレーガン工程等の後処理が行なわれる。
【００７１】
最後に、テーブル５０は印刷済メディア格納容器７０の前まで搬送されて、トレイ２０は印刷済メディア格納容器７０に格納される。印刷済メディア格納容器７０は、トレイ２０を回収するためにトレイ２０を巻き込むローラー等の機構を有していてもよい。
【００７２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００７３】
〔ソフトウェアによる実現例〕
最後に、印刷制御部２００の各ブロックは、集積回路（ＩＣチップ）上に形成された論理回路によってハードウェア的に実現してもよいし、ＣＰＵ（Central Processing Unit）を用いてソフトウェア的に実現してもよい。
【００７４】
後者の場合、印刷制御部２００は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記憶媒体）などを備えている。そして、本発明の目的は、上述した機能を実現するソフトウェアである印刷制御部２００の制御プログラムのプログラムコード（実行形式プログラム、中間コードプログラム、ソースプログラム）をコンピュータで読み取り可能に記録した記憶媒体を、上記印刷制御部２００に供給し、そのコンピュータ（またはＣＰＵやＭＰＵ）が記憶媒体に記録されているプログラムコードを読み出し実行することによっても、達成可能である。
【００７５】
上記記憶媒体としては、一時的でない有形の媒体（non-transitory tangible medium）、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【００７６】
また、印刷制御部２００を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【００７７】
〔付記事項〕
以上のように、印刷制御部２００は、印刷する回数を示す回数情報が関連付けられた、印刷する画像を示す画像ファイルが複数格納されている格納場所を指定する格納場所指定情報を受け付ける受付部２０１と、受付部２０１が受け付けた格納場所の中にある画像ファイルを、回数情報が示す回数印刷するように印刷装置１を制御する印刷装置制御部２０２とを備える。
【００７８】
ユーザは格納場所を指定するだけで、印刷制御部２００は当該格納場所内の画像ファイル及び印刷回数に基づいて印刷装置１に印刷を行なわせることができる。よって、複数の画像ファイルに基づく印刷であっても容易に印刷装置１に対象の画像ファイルを認識させることができる。
【００７９】
印刷制御部２００では、画像ファイルには、印刷する順番を示す順番情報が関連付けられており、印刷装置制御部２０２は、当該順番情報に従って印刷するように印刷装置１を制御するものである。
【００８０】
印刷装置制御部２０２は、順番情報の示す順番に沿って、画像ファイル及び回数に基づき印刷することができる。これにより、印刷対象物が異なり、それぞれの印刷対象物に対して画像ファイルが定まっている場合であっても、順番通りに印刷対象物を印刷装置に供給すれば、当該順番に従って印刷される。よって、異なる印刷対象物に対する印刷を簡便に行なうことができる。
【００８１】
印刷装置１は、印刷制御部２００と、メディア１００を載せたトレイ２０を複数搭載するトレイ格納容器１０と、トレイ格納容器１０から、複数のトレイ２０のうち、一つのトレイ２０を取り出し、メディア１００に対してインクを吐出するヘッドにおけるインクを吐出する面に対向する印刷領域Ｒ１まで搬送させる搬送部３０と、印刷されたメディア１００が載せられたトレイ２０を格納する印刷済メディア格納容器７０と、を備える。
【００８２】
また、ユーザはトレイ２０をトレイ格納容器１０に搭載して、ファイルの格納場所を指定するだけで、トレイ２０毎に異なる種類のメディア１００が載っていても、トレイ２０が印刷済メディア格納容器７０に格納されるまで、印刷装置の傍にいなくてもよい。つまり、ファイルに関連付けられた回数だけ繰り返し印刷が行なわれるので、都度、トレイ２０又はメディア１００を印刷装置１に手動で供給する必要がない。よって、長時間の無人運転が可能となる。
【産業上の利用可能性】
【００８３】
本発明は、例えばヘッドに比して大きさが小さい、複数の製品を大量に印刷する分野において特に好適に利用することができる。
【符号の説明】
【００８４】
１    印刷装置
１０    トレイ格納容器（被記録媒体搭載部）
２０    トレイ（載置器具）
３０    搬送部（搬送手段）
３１    押し出し部
３２    ベルトコンベア
４０    ヘッド
５０    テーブル
５１    光学式センサ
５２    度当たりピン
６０    アクリル板
７０    印刷済メディア格納容器（印刷済被記録媒体格納器）
１００    メディア（被記録媒体）
２００    印刷制御部（印刷制御装置）
２０１    受付部（受付手段）
２０２    印刷措置制御部（印刷装置制御手段）
Ｒ１    印刷領域
Ｒ２    受け渡し領域
【図１】
2014050964.tif 000003
【図２】
2014050964.tif 000004
【図３】
2014050964.tif 000005